(57)【特許請求の範囲】
【請求項１】
カメラ本体に装着された撮影レンズから、前記撮影レンズの固有情報として、レンズ識別情報と光学特性情報とを取得する情報取得手段と、
前記カメラ本体をコンピューターネットワークに接続する接続手段と、
前記情報取得手段により前記撮影レンズから前記レンズ識別情報が取得されている場合には、前記レンズ識別情報に対応し且つ前記撮影レンズから取得された前記光学特性情報を補正するための補正情報を、前記レンズ識別情報に基づいて、前記コンピューターネットワークから取得する一方で、前記情報取得手段により前記撮影レンズから前記レンズ識別情報が取得されていない場合には、前記補正情報を前記コンピューターネットワークから取得する動作を行わずに、格納済みの前記撮影レンズ全ての補正情報を平均した値を補正情報とする補正情報取得手段と、
前記補正情報取得手段で取得された前記補正情報を使用して前記光学特性情報を補正する情報補正手段とを備えることを特徴とするカメラ。
【請求項２】
請求項１記載のカメラにおいて、
前記接続手段は、前記カメラ本体を通信端末を経由して前記コンピューターネットワークに接続するために、前記カメラ本体を前記通信端末に接続する通信端末接続手段を備えていることを特徴とするカメラ。
【請求項３】
請求項１記載のカメラにおいて、
前記接続手段は、前記カメラ本体を無線方式で前記コンピューターネットワークに接続する無線接続手段を備えていることを特徴とするカメラ。
【請求項４】
請求項１記載のカメラにおいて、
前記カメラ本体に装着された前記撮影レンズを介して被写体から入射される光を測光する測光手段と、
前記情報補正手段により補正された光学特性情報を使用して、前記測光手段から得られた測光結果を補正する測光補正手段とを備えることを特徴とするカメラ。
【請求項５】
請求項１記載のカメラにおいて、
前記補正情報を前記レンズ識別情報に対応付けて記憶する複数の記憶領域を有する記憶手段と、
前記記憶手段に補正情報を書き込む情報書込手段とを備え、
前記情報書込手段は、前記記憶領域に空きがある時に、前記補正情報取得手段により取得された補正情報を前記レンズ識別情報に対応付けて空き領域に順次書き込み、前記記憶領域に空きがない時に、前記補正情報取得手段により取得された補正情報を最も古く書き込まれた補正情報と置き換えて記憶し、
前記情報補正手段は、前記記憶手段に記憶され、前記カメラ本体に装着された前記撮影レンズに対応する前記補正情報を使用して前記光学特性情報を補正することを特徴とするカメラ。
【発明の詳細な説明】
【技術分野】
【０００１】
本発明は、撮影レンズを交換可能なカメラに関する。
【背景技術】
【０００２】
撮影レンズを交換可能なカメラは、例えば、撮影レンズが有するメモリに格納された撮影レンズの光学特性情報（例えば、開放Ｆナンバーや開口効率等）を取得する取得手段及び、被写体から撮影レンズを介して入射される光を測光する測光手段等を有している。
測光手段により測光された測光結果（例えば、露光量）は、取得手段により取得された光学特性情報を使用して補正される（例えば、特許文献１）。一般に、この種のカメラでは、測光結果を補正するための光学特性情報は、光学特性情報を補正するための補正情報を使用して補正される。
【特許文献１】特開平４−２４０８３３号公報
【発明の開示】
【発明が解決しようとする課題】
【０００３】
しかしながら、上述したカメラでは、撮影レンズの光学特性情報は、例えば、全ての撮影レンズの補正情報を平均した値を使用して補正される。この値は、旧式の撮影レンズの補正情報を平均することで算出される。新式の撮影レンズは、旧式の撮影レンズに含まれない。この結果、新式の撮影レンズの光学特性情報を正確に補正できないという問題があった。
【０００４】
本発明の目的は、撮影レンズの光学特性情報を補正情報を使用して補正するカメラにおいて、新式の撮影レンズの光学特性情報を正確に補正することである。
【課題を解決するための手段】
【０００５】
本発明の一態様では、カメラは、カメラ本体に装着された撮影レンズから、撮影レンズの固有情報として、レンズ識別情報と光学特性情報とを取得する情報取得手段と、カメラ本体をコンピューターネットワークに接続する接続手段と、情報取得手段により撮影レンズからレンズ識別情報が取得されている場合には、レンズ識別情報に対応し且つ撮影レンズから取得された光学特性情報を補正するための補正情報を、レンズ識別情報に基づいて、コンピューターネットワークから取得する一方で、情報取得手段により撮影レンズからレンズ識別情報が取得されていない場合には、補正情報をコンピューターネットワークから取得する動作を行わずに、格納済みの撮影レンズ全ての補正情報を平均した値を補正情報とする補正情報取得手段と、補正情報取得手段で取得された補正情報を使用して光学特性情報を補正する情報補正手段とを備える。
本発明に関連する技術として、第１技術のカメラでは、情報取得手段は、カメラ本体に装着されるレンズから、該レンズの固有情報を受ける。接続手段は、カメラ本体をコンピューターネットワークに接続する。補正情報取得手段は、情報取得手段により受けた固有情報に対応する光学特性情報を補正するための補正情報を、コンピューターネットワークから取得する。情報補正手段は、補正情報を使用して光学特性情報を補正する。
【０００６】
第２技術のカメラでは、接続手段は、カメラ本体を通信端末を経由してコンピューターネットワークに接続するために、カメラ本体を通信端末に接続する通信端末接続手段を備えている。
第３技術のカメラでは、接続手段は、カメラ本体を無線方式でコンピューターネットワークに接続する無線接続手段を備えている。
【０００７】
第４技術のカメラでは、測光手段は、カメラ本体に装着されたレンズを介して被写体から入射される光を測光する。測光補正手段は、情報補正手段により補正された光学特性情報を使用して、測光手段から得られた測光結果を補正する。
第５技術のカメラでは、記憶手段は、補正情報をレンズに対応付けて記憶する複数の記憶領域を有する。情報書込手段は、記憶手段に補正情報を書き込む。情報書込手段は、記憶領域に空きがある時に、補正情報取得手段により取得された補正情報を空き領域に順次書き込み、記憶領域に空きがない時に、補正情報取得手段により取得された補正情報を最も古く書き込まれた補正情報と置き換えて記憶する。情報補正手段は、記憶手段に記憶され、カメラ本体に装着されたレンズに対応する補正情報を使用して光学特性情報を補正する。
【発明の効果】
【０００８】
第１技術のカメラでは、レンズが有する光学特性情報（例えば、射出瞳位置や開口効率や開放Ｆナンバー等）に対応する補正情報がコンピューターネットワークを介して取得される。すなわち、補正情報はレンズ毎に取得可能になる。このため、例えば、レンズが新しく発売された場合であっても、補正情報取得手段によりレンズ毎に取得された補正情報を用いて、情報補正手段により光学特性情報は正確に補正される。正確に補正されたレンズの光学特性情報を用いることで、露出や焦点等を最適に調整して被写体を撮像できる。このため、撮影者の意図する品位のある画像を得ることができる。
【０００９】
第２技術のカメラでは、カメラ本体は、通信端末を介してコンピューターネットワークに接続される。このため、コンピューターネットワークの接続に必要なハードウェアをカメラ本体に搭載する必要がない。したがって、カメラ本体の機構を簡素化できる。カメラ本体を製造するための製造工数及び部品点数を削減できるため、カメラ本体の製造コストを削減できる。
【００１０】
第３技術のカメラでは、カメラ本体は、無線方式でコンピューターネットワークに接続される。コンピューターネットワークにカメラ本体を接続するために、カメラ本体に有線のケーブルを取り付ける必要がない。ケーブル長さによる制約がないため、コンピューターネットワークに接続中も、カメラ本体を容易に移動させることができる。
第４技術のカメラでは、情報補正手段により正確に補正された光学特性情報（例えば、射出瞳位置や開口効率等）を用いて、測光結果（例えば、露光量）は正確に補正される。この測光結果を用いることで、最適な露出で被写体を撮像できる。このため、被写体画像の明るさを最適にできる。
【００１１】
第５技術のカメラでは、情報書込手段は、レンズが新しく交換される毎に、交換されたレンズに対応する補正情報を記憶手段に書き込む。書き込まれた補正情報は、情報補正手段により新しいレンズの光学補正情報を補正するために用いられる。一般に、ユーザがレンズを新しく交換した場合、交換前にカメラ本体に取り付けられていた古いレンズがユーザにより使用される頻度は少ない。古いレンズに対応する（情報書込手段により古く書き込まれた）補正情報は、光学特性情報の補正に用いられる頻度が少ない。本技術では、情報書込手段は、補正情報を最も古く書き込まれた（光学特性情報の補正に用いられる頻度が最も少ない）補正情報と置き換えて記憶手段に記憶する。このため、記憶手段の記憶領域の大きさに制限がある場合でも、使用頻度の多い補正情報を記憶領域に残すことができる。この結果、記憶手段の記憶領域を有効に活用できる。
【発明を実施するための最良の形態】
【００１２】
以下、本発明の実施形態を図面を用いて説明する。図１は、本発明のカメラの第１の実施形態を示している。図１（ａ）は、本発明が適用されるカメラ１００（例えば、デジタルカメラ）を示している。
撮影レンズ１０４は、カメラ１００のカメラ本体１０２の前面中央に形成されたレンズマウントに着脱自在に取り付けられる。撮影レンズ１０４がカメラ本体１０２に取り付けられることによって、カメラ本体１０２及び撮影レンズ１０４は図示しない通信線を介して接続される。
【００１３】
カメラ本体１０２の背面（撮影レンズ１０４の取付け位置と反対面）には、後述する液晶モニターＬＣＤ（Liquid Crystal Display）が配置されている。カメラ本体１０２の上面には、スイッチＳＷ１、ＳＷ２及びＳＷ３を含む各種スイッチが配置されている。各種スイッチの操作は、カメラ本体１０２に内蔵されるＣＰＵ（後述）により認識される。
主電源スイッチＳＷ１は、カメラ１００の電源をオン又はオフする。シャッタースイッチＳＷ２は、被写体を撮影する時に押下げられる。選択スイッチＳＷ３は、液晶モニターＬＣＤの表示画面に応じて、ユーザがカメラ１００の各種設定を変更するためのスイッチである。
【００１４】
カメラ１００は、撮影レンズ１０４から通信線を介して撮影レンズ１０４のパラメータ（光学特性情報、例えば、射出瞳位置や開口効率や開放Ｆナンバー等）を受け取る。カメラ１００は、撮影レンズ１０４を識別するためのデータであるレンズ識別ＩＤ（後述）に応じて設定された補正情報を用いて、撮影レンズ１０４から受け取ったパラメータを補正する。カメラ１００は、補正したパラメータに基づいて撮影条件（例えば、露光量や焦点距離）を決定する。
【００１５】
図１（ｂ）は、パーソナルコンピュータ１０６（通信端末）を示している。パーソナルコンピュータ１０６は、画面表示を行うディスプレイ、指示を入力するキーボード等を有している。
カメラ１００は、撮影レンズ１０４の補正情報を取得するために、例えば、ＵＳＢケーブル１０８を介してパーソナルコンピュータ１０６に接続される。カメラ１００は、パーソナルコンピュータ１０６を介してインターネット１１０（コンピュータネットワーク）に接続される。
【００１６】
カメラ１００は、インターネット１１０を介してＷｅｂサーバ１１２に接続され、Ｗｅｂサーバ１１２から撮影レンズ１０４の補正情報を取得する。Ｗｅｂサーバ１１２から取得された補正情報は、インターネット１１０及びパーソナルコンピュータ１０６を介してカメラ１００に送信される。カメラ１００に送信された補正情報は、カメラ１００内部に搭載されたＲＯＭ１６（図２）に格納される。
【００１７】
図２は、図１に示したカメラ１００及び撮影レンズ１０４の内部構成を示している。カメラ１００は、測光用センサ１０（測光手段）、ＣＣＤ（Charge Coupled Device）１２、Ａ／Ｄ変換回路１４、ＲＯＭ１６（記憶手段）、ＣＰＵ１８、Ｉ／Ｆ(Interface)回路２０（通信端末接続手段）、液晶モニターＬＣＤ２２、バス２４及び図示しないＲＡＭ等を有している。なお、図２では、カメラ１００の電気系の主要な要素を示している。シャッター機構及びミラー機構等のメカニカルな要素は、図示を省略している。
【００１８】
測光用センサ１０は、カメラ１００の露光量Ｅを取得するために、撮影レンズ１０４のレンズ系２２を介して被写体から入射される光を光電変換する。ＣＣＤ１２は、シャッターを介してレンズ系２６に対向する位置に配置されている。ＣＣＤ１２は、図示しないＣＣＤドライバにより駆動され、レンズ系２６より結像される被写体像を光電変換する。    Ａ／Ｄ変換回路１４は、測光用センサ１０により光電変換された露光量Ｅ及び、ＣＣＤ１２により撮像された画像をアナログ値からデジタル値にＡ／Ｄ変換する。Ａ／Ｄ変換回路１４は、カメラ１００のデジタル値である露光値及び、被写体の画像データをＣＰＵ１８に出力する。
【００１９】
ＲＯＭ１６は、カメラ１００を動作するためにＣＰＵ１８により実行されるプログラムを格納している。ＲＯＭ１６は、電気的にデータの書き換えが可能なＥＥＰＲＯＭやフラッシュメモリ等で構成される。ＲＯＭ１６は、後述するレンズ識別ＩＤに対応付けて、後述する補正情報を格納する。なお、ＲＯＭ１６は、ＣＰＵ１８に搭載される電気的にデータの書き換えが可能なＲＯＭ（図示せず）で代用することも可能である。
【００２０】
ＣＰＵ１８は、ＲＯＭ１６に格納されたプログラムを実行することによって、カメラ１００の動作を制御する。例えば、ＣＰＵ１８は、補正情報を用いて、後述するパラメータを補正する。Ｉ／Ｆ回路２０は、Ｗｅｂサーバ１１２から補正情報を取得するために、ＵＳＢケーブル１０８（図１）を介して、カメラ１００をパーソナルコンピュータ１０６（図１）に接続する。
【００２１】
液晶モニターＬＣＤ２２は、ＣＰＵ１８により駆動される。例えば、液晶モニターＬＣＤ２２は、ユーザによる各種スイッチ（図１）の押下げに応答して、カメラ１００の設定を変更するための画面を表示する。バス２４は、カメラ１００内の各回路を接続する。
撮影レンズ１０４は、レンズ系２６、レンズ用ＲＯＭ２８、図示しないレンズ駆動回路、絞り及び絞り駆動回路等を有している。レンズ系２６は、被写体に焦点を合わせるフォーカスレンズ及び被写体像をズームするためのズームレンズ等を含む複数枚のレンズにより構成される。フォーカスレンズ及びズームレンズは、レンズ駆動回路により光軸方向の位置が調節される。
【００２２】
レンズ用ＲＯＭ２８は、撮影レンズ１０４の固有情報ＰＩを格納している。固有情報ＰＩは、レンズ識別ＩＤ及びパラメータを有している。レンズ識別ＩＤは、パラメータを補正するための撮影レンズ１０４固有の補正情報（後述）を、Ｗｅｂサーバ１１２から取得するための識別子として用いられる。
なお、Ｗｅｂサーバ１１２から補正情報を取得可能な撮影レンズのみが、レンズ識別ＩＤを有している。一方、Ｗｅｂサーバ１１２から補正情報を取得不可能な撮影レンズ（Ｗｅｂサーバ１１２に補正情報のないサードパーティ製の撮影レンズや、レンズ用ＲＯＭがない旧式の撮影レンズ等）はレンズ識別ＩＤを有していない。
【００２３】
パラメータは、例えば、射出瞳位置Ａ、開口効率Ｂ及び開放ＦナンバーＣである。固有情報ＰＩは、図示しない通信線を介してＣＰＵ１８に出力される。ＣＰＵ１８は、通信線を介してレンズ用ＲＯＭ２８に接続される。
ＣＰＵ１８は、レンズ用ＲＯＭにレンズ識別ＩＤが格納されているか否かを検出する。この検出により、ＣＰＵ１８は、撮影レンズ１０４が、Ｗｅｂサーバ１１２から補正情報を取得可能な撮影レンズであるか否かを検出できる。
【００２４】
ＣＰＵ１８は、レンズ識別ＩＤが格納されている（Ｗｅｂサーバ１１２から補正情報を取得可能な撮影レンズである）ことを検出すると、Ｗｅｂサーバ１１２から上記パラメータＡ、Ｂ及びＣにそれぞれ対応する補正情報ａ、ｂ及びｃを取得する。ＣＰＵ１８は、取得した補正情報ａ、ｂ及びｃを用いて、上記パラメータＡ、Ｂ及びＣを補正する。
一方、ＣＰＵ１８は、レンズ識別ＩＤが格納されていない（Ｗｅｂサーバ１１２から補正情報を取得不可能な撮影レンズである）ことを検出すると、パラメータＡ、Ｂ及びＣを撮影レンズ全ての補正情報を平均した値を用いて補正する。
【００２５】
図３は、図２に示したＲＯＭ１６の要部の詳細を示している。ＲＯＭ１６は、この例では、アドレス番号Ａ−Ｎｏ.１〜５が割り当てられた５つの記憶領域を有している。各記憶領域は、撮影レンズのレンズ識別ＩＤに対応付けて補正情報を格納するために、第１及び第２記憶領域をそれぞれ有している。第１記憶領域は、レンズ識別ＩＤｎを格納する。第２記憶領域は、補正情報ａｎ、ｂｎ及びｃｎを格納する（ｎ＝１〜５）。
【００２６】
例えば、記憶領域は、アドレス番号の若い番号から順次、レンズ識別ＩＤｎ及び補正情報ａｎ、ｂｎ及びｃｎをＲＯＭ１６に格納する（図３（ａ））。この例では、アドレス番号Ａ−Ｎｏ.５の記憶領域は、レンズ識別ＩＤ及び補正情報を未だ格納していないため、空き領域である。
この後、ＣＰＵ１８は、レンズ用ＲＯＭに格納されたレンズ識別ＩＤ５及びパラメータ（図２）を取得する。このパラメータを補正するために、ＣＰＵ１８は、レンズ識別ＩＤ５に対応する補正情報ａ５、ｂ５及びｃ５をＷｅｂサーバ１１２から取得する。取得された補正情報ａ５、ｂ５及びｃ５は、アドレス番号Ａ−Ｎｏ.５の記憶領域にレンズ識別ＩＤ５に対応付けて格納される（図３（ｂ））。この状態で、レンズ識別ＩＤ及び補正情報は、ＲＯＭ１６が有する５つの記憶領域全てに格納され、空き領域はない。
【００２７】
この後、図３（ｂ）と同様に、ＣＰＵ１８は、レンズ識別ＩＤ６及び補正情報ａ６、ｂ６及びｃ６を取得する。取得されたレンズ識別ＩＤ６及び補正情報ａ６、ｂ６及びｃ６は、アドレス番号Ａ−Ｎｏ.１の記憶領域に、レンズ識別ＩＤ１及び補正情報ａ１、ｂ１及びｃ１と置き換えて格納される（図３（ｃ））。すなわち、レンズ識別ＩＤ６及び補正情報ａ６、ｂ６及びｃ６は、ＲＯＭ１６に最も古く格納されたレンズ識別ＩＤ１及び補正情報ａ１、ｂ１及びｃ１と置き換えられる。
【００２８】
補正情報ａ６、ｂ６及びｃ６は、この例では、ユーザにより最も新しく交換された撮影レンズのパラメータを補正するために取得される。一般的に、レンズ交換前にカメラ本体１０２に取り付けられていた古いレンズがユーザにより使用される頻度は、最も新しく交換された撮影レンズがユーザにより使用される頻度に比べて少ない。換言すると、古いレンズに対応する補正情報ａ１、ｂ１及びｃ１は、パラメータの補正に使用される頻度が少ない。
【００２９】
補正情報ａ６、ｂ６及びｃ６が、使用頻度の少ない補正情報ａ１、ｂ１及びｃ１と置き換えられることで、図のようにＲＯＭ１６の記憶領域が５つのみである場合でも、より使用頻度の多い補正情報を記憶領域に格納できる。このため、ＲＯＭ１６の限られた記憶領域を有効に活用できる。
図４は、カメラの第１の実施形態における露光値の補正動作を表している。図４に示す動作は、ＣＰＵ１８（情報取得手段、補正情報取得手段、情報補正手段、測光補正手段及び情報書込手段）がＲＯＭ１６に格納されたプログラムを実行することによって実現される。
【００３０】
まず、ステップＳ１００において、ＣＰＵ１８は、撮影レンズ１０４がＷｅｂサーバ１１２から補正情報を取得可能な撮影レンズであるか否かを判別するために、レンズ用ＲＯＭ２８にレンズ識別ＩＤが格納されているか否かを検出する。レンズ識別ＩＤが格納されている（Ｗｅｂサーバ１１２から補正情報を取得可能な撮影レンズである）と、処理はステップＳ１０２に移行する。レンズ識別ＩＤが格納されていない（補正情報を取得不可能である）と、処理はステップＳ１１８に移行する。
【００３１】
ステップＳ１０２において、ＣＰＵ１８は、レンズ識別ＩＤに対応する補正情報ａ、ｂ及びｃがＲＯＭ１６に格納されているか否かを検出する。補正情報ａ、ｂ及びｃが格納されていると、処理はステップＳ１１６に移行する。補正情報ａ、ｂ及びｃが格納されていないと、処理はステップＳ１０４に移行する。
ステップＳ１０４において、ＣＰＵ１８は、パーソナルコンピュータ１０６及びインターネット１１０を介してＩ／Ｆ回路１８にＷｅｂサーバ１１２が接続されているか否かを検出する。Ｗｅｂサーバ１１２に接続されると、処理はステップＳ１０６に移行する。Ｗｅｂサーバ１１２に接続されないと、処理はステップＳ１１８に移行する。
【００３２】
ステップＳ１０６において、ＣＰＵ１８は、Ｗｅｂサーバ１１２からレンズ識別ＩＤに対応する補正情報ａ、ｂ及びｃが送信可能か否かを検出する。送信可能であることを検出すると、処理はステップＳ１０８に移行する。送信不可能であることを検出すると、処理はステップＳ１１８に移行する。
ステップＳ１０８において、ＣＰＵ１８は、ＲＯＭ１６のアドレス番号Ａ−Ｎｏ.１〜５が割り当てられた５つの記憶領域（第１及び第２記憶領域）（図３）のいずれかに、レンズ識別ＩＤ及び補正情報ａ、ｂ及びｃを格納するための空き領域があるか否かを検出する。空き領域があることを検出すると、処理はステップＳ１１０に移行する。空き領域がないことを検出すると、処理はステップＳ１１２に移行する。
【００３３】
ステップＳ１１０において、ＣＰＵ１８は、Ｗｅｂサーバ１１２から補正情報ａ、ｂ及びｃを受信し、受信した補正情報ａ、ｂ及びｃをレンズ識別ＩＤに対応付けて空き領域に格納する。この後、処理はステップＳ１１６に移行する。
一方、ステップＳ１１２において、ＣＰＵ１８は、液晶モニターＬＣＤ２０を駆動し、Ｗｅｂサーバ１１２から送信される補正情報ａ、ｂ及びｃを、最も古く格納された補正情報ａ１、ｂ１及びｃ１（図３）と置き換えてＲＯＭ１６に格納するか否かをユーザが選択スイッチＳＷ３（図１で説明）を操作して選択するための画面を表示する。この後、処理はステップＳ１１４に移行する。
【００３４】
ステップＳ１１４において、ＣＰＵ１８は、ユーザがスイッチＳＷ３を操作して、「補正情報ａ、ｂ及びｃを、最も古く格納された補正情報ａ１、ｂ１及びｃ１と置き換えてＲＯＭ１６に格納」を選択したことを検出すると、処理はステップＳ１１０に移行する。このとき、ユーザは、置き換える記憶領域（補正情報）を選択しても良い。ＣＰＵ１８は、ユーザがスイッチＳＷ３を操作して、「置き換えない」を選択したことを検出すると、処理はステップＳ１１８に移行する。
【００３５】
ステップＳ１１６において、ＣＰＵ１８は、カメラ１００の露光値を補正するために、ＲＯＭ１６に格納された補正情報ａ、ｂ及びｃと、固有情報ＰＩ内のパラメータＡ、Ｂ及びＣとを用いて補正値Ｚを算出する。この例では、ＣＰＵ１８は、以下のＺ値演算式（１）を用いて、補正値Ｚを算出する。
Ｚ＝ａ１×Ａ＋ｂ１×Ｂ＋ｃ１×Ｃ・・・（１）
補正値Ｚが算出されると、処理はステップＳ１２０に移行する。ステップＳ１２０において、ＣＰＵ１８は、補正値Ｚを用いてカメラ１００の露光値を補正する。そして、カメラの第１の実施形態における露光値の補正動作が終了する。
【００３６】
一方、ステップＳ１０４でＩ／Ｆ回路１８にＷｅｂサーバ１１２が接続されない場合、または、ステップＳ１０６でＷｅｂサーバ１１２から補正情報ａ、ｂ及びｃが送信不可能であることを検出した場合、または、ステップＳ１１４で「置き換えない」を選択したことを検出した場合に、ステップＳ１１８において、ＣＰＵ１８は、この例では、撮影レンズ全ての補正情報を平均した値を用いて補正値を算出する。この後、処理はステップＳ１２０に移行する。
【００３７】
以上、本実施形態では、補正情報ａ、ｂ及びｃは、撮影レンズ１０４のレンズ識別ＩＤに基づいて取得される。補正情報ａ、ｂ及びｃとパラメータＡ、Ｂ及びＣにより算出された補正値Ｚを用いて露光値を補正することで、露光値を最適に補正して被写体を撮像できる。このため、被写体画像の明るさを最適にできる。
カメラ本体１０２は、パーソナルコンピュータ１０６を介してインターネット１１０に接続される。このため、インターネット１１０の接続に必要なハードウェアをカメラ本体１０２に搭載する必要がない。したがって、カメラ本体１０２の機構を簡素化できる。カメラ本体１０２を製造するための製造工数及び部品点数を削減できるため、カメラ本体１０２の製造コストを削減できる。
【００３８】
図５は、本発明のカメラの第２の実施形態を示している。図５（ａ）は、本発明が適用されるカメラ２００（例えば、デジタルカメラ）を示している。以下、主に第１の実施形態のカメラ１００との相違点を述べる。
図５（ａ）は、本発明が適用されるカメラ２００（例えば、デジタルカメラ）を示している。撮影レンズ１０４は、図１と同様に、カメラ本体２０２に形成されたレンズマウントに取り付けられ、カメラ本体２０２及び撮影レンズ１０４は通信線を介して接続される。
【００３９】
カメラ２００のカメラ本体２０２は、Ｗｅｂサーバ１１２から撮影レンズ１０４の補正情報を取得するために、無線リンク（伝送路）を介して無線方式で通信を行う。無線リンクは、例えば、無線ＬＡＮ（Local Area Network）のＩＥＥＥ（Institute of Electrical and Electronics Engineers）８０２.１１ｂに準拠して形成される。
図５（ｂ）は、アクセスポイント（回線端末装置）１１４を示している。アクセスポイント１１４は、無線ＬＡＮを介してカメラ本体２０２と無線方式で通信を行う。アクセスポイント１１４は、無線ＬＡＮに接続されたカメラ２００を含む各端末をインターネット１１０（コンピュータネットワーク）に接続する。各端末は、インターネット１１０を介してＷｅｂサーバ１１２に接続される。
【００４０】
カメラ２００は、アクセスポイント１１４及びインターネット１１０を介して、Ｗｅｂサーバ１１２から撮影レンズ１０４の補正情報を取得する。取得した補正情報は、カメラ２００に内蔵されるアンテナ（後述）及び無線Ｉ／Ｆ回路（後述）等を介してＲＯＭ１６（図６）に格納される。
図６は、図５に示したカメラ２００及び撮影レンズ１０４の内部構成を示している。第１の実施形態で説明した要素と同一の要素については、同じ符号を付し、詳細な説明を省略する。この実施形態では、カメラ２００は、第１の実施形態のＩ／Ｆ回路２０の代わりに、アンテナ３０及び無線Ｉ／Ｆ回路３２（無線接続手段）を有している。ＣＰＵ１８が実行するためのＲＯＭ１６に格納されているプログラムが、デジタルカメラの第１の実施形態と相違する。その他の構成は、第１の実施形態と同じである。
【００４１】
アンテナ３０は、アクセスポイント１１４（図５）及びインターネット１１０（図５）を介してＷｅｂサーバ１１２（図５）から送信された撮影レンズ１０４のパラメータＡ、Ｂ及びＣに対応する補正情報ａ、ｂ及びｃを受信する。
無線Ｉ／Ｆ回路３２は、アンテナ３０により受信された補正情報ａ、ｂ及びｃを取得する。ＣＰＵ１８は、無線Ｉ／Ｆ回路３２により取得された補正情報ａ、ｂ及びｃと、パラメータＡ、Ｂ及びＣとを用いて補正値を算出する。
【００４２】
図７は、カメラの第２の実施形態における露光値の補正動作を表している。図７に示す動作は、ＣＰＵ１８（情報取得手段、補正情報取得手段、情報補正手段、測光補正手段及び情報書込手段）がＲＯＭ１６に格納されたプログラムを実行することによって実現される。図７は、第１の実施形態（図４）のステップＳ１０４がステップＳ２００に置き換えられた点を除いて、図４と同じである。
【００４３】
ステップＳ１００及びＳ１０２が実行された後、処理はステップＳ２００に移行する。ステップＳ２００において、ＣＰＵ１８は、アクセスポイント１１４及びインターネット１１０を介して無線Ｉ／Ｆ回路３２にＷｅｂサーバ１１２が接続されているか否かを検出する。
Ｗｅｂサーバ１１２に接続されると、ステップＳ１０６〜Ｓ１２０が実行された後、デジタルカメラの第２の実施形態における露光値の補正動作が終了する。Ｗｅｂサーバ１１２に接続されないと、ステップＳ１１８及びＳ１２０が実行された後、デジタルカメラの第２の実施形態における露光値の補正動作が終了する。
【００４４】
以上、本実施形態では、第１の実施形態と同様な効果を得ることが出来る。更に、カメラ本体２０２は、無線ＬＡＮでアクセスポイント１１４を介してインターネット１１０に接続される。インターネット１１０にカメラ本体２０２を接続するために、カメラ本体２０２に有線のケーブルを取り付ける必要がない。ケーブル長さによる制約がないため、インターネット１１０に接続中も、カメラ本体２０２を容易に移動させることができる。
【００４５】
なお、上述した第１の実施形態では、カメラ１００は、ＵＳＢケーブル１０８を介してパーソナルコンピュータ１０６に接続される例について述べた。本発明は、かかる実施形態に限定されるものではない。カメラ１００は、ＩＥＥＥ１３９４ケーブルを用いてパーソナルコンピュータ１０６に接続されるものでも良い。
上述した第１及び第２の実施形態では、カメラ１００、２００としてデジタルカメラが用いられる例について述べた。本発明は、かかる実施形態に限定されるものではない。カメラ１００、２００として銀塩フィルム式のカメラが用いられるものでも良い。
【００４６】
上述した第１及び第２の実施形態では、ＣＰＵ１８は、Ｗｅｂサーバ１１２からレンズ識別ＩＤに対応する補正情報ａ、ｂ及びｃを受信する例について述べた。本発明は、かかる実施形態に限定されるものではない。ＣＰＵ１８は、Ｗｅｂサーバ１１２からレンズ識別ＩＤ及び、カメラ１００、２００を識別するためのデータであるカメラ識別ＩＤに対応する補正情報ａ、ｂ及びｃを受信するものでも良い。
【００４７】
上述した第１及び第２の実施形態では、ＣＰＵ１８は、露光値を補正するための補正値を算出する例について述べた。本発明は、かかる実施形態に限定されるものではない。ＣＰＵ１８は、レンズ系２６の収差を補正するために、収差補正値を算出するものでも良い。
以上、本発明について詳細に説明してきたが、上記の実施形態及びその変形例は発明の一例に過ぎず、本発明はこれに限定されるものではない。本発明を逸脱しない範囲で変形可能であることは明らかである。
【産業上の利用可能性】
【００４８】
本発明は、撮影レンズの光学特性情報を補正情報を使用して補正するカメラに適用される。
【図面の簡単な説明】
【００４９】
【図１】本発明のカメラの第１の実施形態を示すブロック図である。
【図２】図１に示したカメラ１００及び撮影レンズ１０４の内部構成を示すブロック図である。
【図３】図２に示したＲＯＭ１６の要部の詳細を示すブロック図である。
【図４】本発明のカメラの第１の実施形態の露光値の補正動作を示すフローチャートである。
【図５】本発明のカメラの第２の実施形態を示すブロック図である。
【図６】図５に示したカメラ２００及び撮影レンズ１０４の内部構成を示すブロック図である。
【図７】本発明のカメラの第２の実施形態の露光値の補正動作を示すフローチャートである。
【符号の説明】
【００５０】
１０  測光用センサ
１２  ＣＣＤ
１４  Ａ／Ｄ変換回路
１６  ＲＯＭ
１８  ＣＰＵ
２０  Ｉ／Ｆ回路
２２  液晶モニターＬＣＤ
２４  バス
２６  レンズ系
２８  レンズ用ＲＯＭ
３０  アンテナ
３２  無線Ｉ／Ｆ回路
１００、２００  カメラ
１０２、２０２  カメラ本体
１０４  撮影レンズ
１０６  パーソナルコンピュータ
１０８  ＵＳＢケーブル
１１０  インターネット
１１２  Ｗｅｂサーバ
１１４  アクセスポイント
【図１】
0005532526.tif 000002
【図２】
0005532526.tif 000003
【図３】
0005532526.tif 000004
【図４】
0005532526.tif 000005
【図５】
0005532526.tif 000006
【図６】
0005532526.tif 000007
【図７】
0005532526.tif 000008